(57)【要約】【課題】運転中に、予め設定した機器の寿命条件を満たした場合に、即座に機器が停止しない燃料電池システムを提供する。【解決手段】制御部１０１は、累積発電時間計測手段１０２が計測した累積発電時間が第１の所定時間に達した時もしくは累積発電回数計測手段１０３が計測した累積発電回数が第１の所定回数に達した時のいずれか早い方の時に、燃料電池が運転中であれば、現在の運転を最後の運転として、現在の運転を終えた次回は起動させない。また、報知信号出力手段１０４により、燃料電池システム１００を次回は起動させないことを報知する。そのため、燃料電池の運転計画に従った発電を完結させることができ、使用者が現在必要な発電電力量と貯湯タンクに蓄積する湯の確保と、更に故障停止の様な印象を与えることなく機器停止を実現させ、システムを安全に運転することができる。【選択図】図１
2010244749.tif 000002
【特許請求の範囲】
【請求項１】
燃料電池の累積発電時間を計測する累積発電時間計測手段と、前記燃料電池の累積発電回数を計測する累積発電回数計測手段と、前記累積発電時間計測手段が計測した累積発電時間が第１の所定時間に達した時もしくは前記累積発電回数計測手段が計測した累積発電回数が第１の所定回数に達した時のいずれか早い方の時に、前記燃料電池が運転中であれば、現在の運転を最後の運転として、現在の運転を終えた次回は起動させない制御部とを備えたことを特徴とした燃料電池システム。
【請求項２】
前記累積発電時間計測手段が計測した累積発電時間が第１の所定時間に達した時もしくは前記累積発電回数計測手段が計測した累積発電回数が第１の所定回数に達した時のいずれか早い方の時に、前記燃料電池が運転中であれば、前記燃料電池システムを次回は起動させないことを報知する報知信号を出力する報知信号出力手段を備えたことを特徴とした請求項１に記載の燃料電池システム。
【請求項３】
前記報知信号出力手段は、前記累積発電時間計測手段が計測した累積発電時間が第１の所定時間より所定時間短い第２の所定時間に達した時もしくは前記累積発電回数計測手段が計測した累積発電回数が第１の所定回数より所定回数少ない第２の所定回数に達した時のいずれか早い方の時に、報知信号を出力することを予告する予告信号を出力することを特徴とした請求項２に記載の燃料電池システム。
【請求項４】
前記予告信号を報知している期間は、前記燃料電池の運転を継続させることができることを特徴とした請求項３に記載の燃料電池システム。
【請求項５】
前記報知信号出力手段が予告信号を出力した時には燃料電池システムがまもなく停止することを表示し、前記報知信号出力手段が報知信号を出力した時には次回起動させないことを表示する表示手段を備えたことを特徴とした請求項３または４に記載の燃料電池システム。
【請求項６】
請求項１〜５に記載の燃料電池システムの少なくとも一部をコンピュータに実現させるためのプログラム。
【発明の詳細な説明】
【技術分野】
【０００１】
本発明は、燃料電池システム、及びそのプログラムに関するものであり、詳しくは、累積運転時間や運転回数から充分に機能を果たしたと思われる場合に、役目を終わらせる、所謂、ライフエンド時の動作（対応）に関するものである。
【背景技術】
【０００２】
従来、この種の燃料電池システムは、燃料電池本体の累積運転時間が所定の値に到達すれば燃料電池システムを停止し、燃料電池本体の累積運転回数が所定の値に到達すれば、燃料電池システムを次回起動させないようになっている（例えば、特許文献１参照）。
【０００３】
図５は特許文献１に記載された従来の燃料電池システムの構成図を示すものである。図５に示すように、燃料電池本体５０２の運転が開始されれば、運転時間計測手段５１１は運転時間を累積して積算することを開始し、運転時間計測手段５１１によって計測された運転時間が予め設定された所定の値に到達した場合に燃料電池システム５０１を停止させる。また、運転回数計測手段５１２は燃料電池本体５０２の運転が開始されれば、運転回数を累積して積算し（運転回数を１回増やす）、運転回数計測手段５１２によって計測された運転回数が予め設定された所定の値に到達すれば、次回起動させないようにする。
【先行技術文献】
【特許文献】
【０００４】
【特許文献１】特開２００４−２６３９１２号公報
【発明の概要】
【発明が解決しようとする課題】
【０００５】
しかしながら、上記従来の構成では、累積発電時間と累積発電回数を所定の換算式を用いて累積発電時間相当に変換した値の合計が予め設定した所定の値に到達した時点で即座に機器停止に向かうため、起動の途中や発電し始めの時など、燃料電池にかかるエネルギーが発電により得るエネルギーを上回る場合は、エネルギーの損失が発生すると言う課題があった。また、発電したい時に唐突に停止してしまうのは、ユーザーの利便を損なうものである
本発明は、上記従来の課題を解決するもので、運転中に、予め設定した機器の寿命条件を満たした場合に、即座に機器が停止しない燃料電池システムを提供することを目的とする。
【課題を解決するための手段】
【０００６】
上記目的を達成するために、本発明の燃料電池システムは、燃料電池の累積発電時間を計測する累積発電時間計測手段と、前記燃料電池の累積発電回数を計測する累積発電回数計測手段と、前記累積発電時間計測手段が計測した累積発電時間が第１の所定時間に達した時もしくは前記累積発電回数計測手段が計測した累積発電回数が第１の所定回数に達した時のいずれか早い方の時に、前記燃料電池が運転中であれば、現在の運転を最後の運転として、現在の運転を終えた次回は起動させない制御部とを備えたのである。
【０００７】
本発明では、累積発電時間が第１の所定時間に達した時もしくは累積発電回数が第１の所定回数に達した時のいずれか早い方の時に、燃料電池が運転中であれば、現在の運転を最後の運転として、現在の運転を終えた次回は起動しないように構成したので、燃料電池の運転計画に従った発電を完結させることができ、使用者が現在必要な発電電力量、及び貯湯タンクに蓄積する湯の確保と、更に故障停止の様な印象を与えることなく機器停止を実現させ、システムを安全に運転することができる。
【発明の効果】
【０００８】
本発明の燃料電池システムは、累積発電時間が第１の所定時間に達した時もしくは累積発電回数が第１の所定回数に達した時のいずれか早い方の時に、燃料電池が運転中であれば、現在の運転を最後の運転として、現在の運転を終えた次回は起動しないものであり、燃料電池の運転計画に従った運転を完結させることができ、使用者が現在必要な発電電力量、及び貯湯タンクに蓄積する湯の確保と、更に、故障停止の様な印象を与えずに機器停止を実現させ、システムを安全に運転することができる。
【図面の簡単な説明】
【０００９】
【図１】本発明の実施の形態１における燃料電池システムのブロック図
【図２】同実施の形態の燃料電池システムの運転状態に対して発電時間、通電時間、発電回数のカウント位置を説明するための説明図
【図３】（ａ）同実施の形態の燃料電池システムの情報端末装置に予告信号をポップアップを用いた表示例を示す概略図（ｂ）同実施の形態の燃料電池システムの情報端末装置に予告信号をＬＥＤを用いた表示例を示す概略図
【図４】同実施の形態の燃料電池システムの動作を説明するためのフローチャート
【図５】従来の燃料電池システムの構成図
【発明を実施するための形態】
【００１０】
第１の発明は、燃料電池の累積発電時間を計測する累積発電時間計測手段と、前記燃料電池の累積発電回数を計測する累積発電回数計測手段と、前記累積発電時間計測手段が計測した累積発電時間が第１の所定時間に達した時もしくは前記累積発電回数計測手段が計測した累積発電回数が第１の所定回数に達した時のいずれか早い方の時に、前記燃料電池が運転中であれば、現在の運転を最後の運転として、現在の運転を終えた次回は起動させない制御部とを備えたものであり、累積発電時間が第１の所定時間に達した時もしくは累積発電回数が第１の所定回数に達した時のいずれか早い方の時に、燃料電池が運転中であれば、現在の運転を最後の運転として、現在の運転を終えた次回は起動しない。そのため、燃料電池の運転計画に従った運転を完結させることができ、使用者が現在必要な発電電力量、及び貯湯タンクに蓄積する湯の確保と、更に、故障停止の様な印象を与えずに機器停止を実現させ、システムを安全に運転することができる。また、発電エネルギーを発生させるために直接寄与する、燃料電池スタック、改質器といったシステムの重要部品と、それら重要部品以外の部品との劣化を検出することから、一般的な家電製品よりも技術蓄積の浅い燃料電池全体の構成部品を視野に入れた安全を確保するための機器停止を実現させることができる。
【００１１】
第２の発明は、特に、第１の発明に加えて、前記累積発電時間計測手段が計測した累積発電時間が第１の所定時間に達した時もしくは前記累積発電回数計測手段が計測した累積発電回数が第１の所定回数に達した時のいずれか早い方の時に、前記燃料電池が運転中であれば、前記燃料電池システムを次回は起動させないことを報知する報知信号を出力する報知信号出力手段を備えたものであり、累積発電時間が第１の所定時間に達した時もしくは累積発電回数が第１の所定回数に達した時のいずれか早い方の時に、燃料電池が運転中であれば、燃料電池システムを次回は起動させないことを報知する。つまり、次回の運転開始を許可しない報知信号を出力するため、報知信号を停止した機器に対して速やかな対策措置を講じるための起点、例えば使用者はサービス会社と連絡し、停止した機器にメンテナンス依頼をして再度運転を可能な状態にしてもらうための起点、またメーカーは一度機器寿命に到達した機器であるため、機器のリプレース商談へ持ち込むための起点として用いることができ、発電装置としての本来の運転稼働率が向上し、省エネ性を確保することができる。
【００１２】
第３の発明は、特に、第２の発明において、前記報知信号出力手段は、前記累積発電時間計測手段が計測した累積発電時間が第１の所定時間より所定時間短い第２の所定時間に達した時もしくは前記累積発電回数計測手段が計測した累積発電回数が第１の所定回数より所定回数少ない第２の所定回数に達した時のいずれか早い方の時に、報知信号を出力することを予告する予告信号を出力するものであり、機器が次回の運転開始を許可しない報知信号を出力する前に予告信号を出力するため、前記予告信号を機器が完全停止状態に陥る前に速やかな対策措置を講じるための起点、例えば使用者は機器が完全停止するより予めに、サービス会社と連絡し、完全停止より事前に機器メンテナンスの依頼をし、完全停止の期間を作ることなく継続運転を可能な状態にしてもらうための起点、またメーカーはまもなく機器寿命に到達し、完全停止する機器であることを使用者に報告し、機器のリプレース商談へ持ち込むための起点として用いることができ、発電装置としての本来の運転稼働率が向上し、省エネ性を確保することができる。
【００１３】
第４の発明は、特に、第３の発明において、前記予告信号を報知している期間は、前記燃料電池の運転を継続させることができるものであり、使用者またはメーカーは機器が完全停止状態に陥るまでの期間、燃料電池の運転を継続させながら対策措置を講じることができることから、発電装置としての本来の運転稼働率を確保しつつ、省エネ性を確保することができる。
【００１４】
第５の発明は、特に、第３または第４の発明に加えて、前記報知信号出力手段が予告信号を出力した時には燃料電池システムがまもなく停止することを表示し、前記報知信号出力手段が報知信号を出力した時には次回起動させないことを表示する表示手段を備えたものであり、表示手段がまもなく停止することを表示した場合は、使用者は機器が完全停止状態に陥る前にサービス会社へ連絡し、完全停止より事前に機器のメンテナンス依頼、メーカーへは機器のリプレース依頼をするといった対策措置を速やかに講じることができ、発電装置としての本来の運転稼働率を確保することができる。また、表示手段が次回起動させないことを表示した場合、使用者は次回起動しない理由が明確になり、サービス会社への機器のメンテナンス依頼、またメーカーへは機器のリプレース依頼をするといった対策措置を速やかに講じることができ、発電装置としての本来の運転稼働率を確保することができる。
【００１５】
第６の発明は、請求項１〜５に記載の燃料電池システムの少なくとも一部をコンピュータに実現させるためのプログラムである。そして、プログラムであるので、電気・情報機器、コンピュータ、サーバー等のハードリソースを協働させて本発明の燃料電池システムの少なくとも一部を容易に実現することができる。また記録媒体に記録したり通信回線を用いてプログラムを配信したりすることでプログラムの配布・更新やインストール作業が簡単にできる。
【００１６】
以下、本発明の実施の形態について、図面を参照しながら説明する。なお、この実施の形態によって本発明が限定されるものではない。
【００１７】
（実施の形態１）
図１は本発明の第１の実施の形態における燃料電池システムを示すブロック図であり、図２は燃料電池システムの運転状態に対して発電時間、発電回数のカウント位置を図示した説明図を示すものである。
【００１８】
図１において、燃料電池システム１００の制御部１０１は、燃料電池の累積発電時間を計測する累積発電時間計測手段１０２と、燃料電池の累積発電回数を計測する累積発電回数計測手段１０３と、報知信号出力手段１０４を備え、累積発電時間計測手段１０２と累積発電回数計測手段１０３を制御する。
【００１９】
更に、制御部１０１は、累積発電時間計測手段１０２が計測した累積発電時間と累積発電回数計測手段１０３が計測した累積発電回数と第１の所定時間と第１の所定回数と第２の所定時間と第２の所定時間を記憶する記憶手段１０５と、報知信号出力手段と、情報端末装置１０８と通信を行う通信手段１０７とを制御する。
【００２０】
そして、制御部１０１は、累積発電時間計測手段１０２が計測した累積発電時間が第１の所定時間に達した時もしくは累積発電回数計測手段１０３が計測した累積発電回数が第１の所定回数に達した時のいずれか早い方の時に、燃料電池が運転中であれば、現在の運転を最後の運転として、現在の運転を終えた次回は起動させない。
【００２１】
また、報知信号出力手段１０４は、累積発電時間計測手段１０２が計測した累積発電時間が第１の所定時間に達した時もしくは累積発電回数計測手段１０３が計測した累積発電回数が第１の所定回数に達した時のいずれか早い方の時に、燃料電池が運転中であれば、燃料電池システム１００を次回は起動させないことを報知し、累積発電時間計測手段１０２が計測した累積発電時間が第１の所定時間より所定時間短い第２の所定時間に達した時もしくは累積発電回数計測手段１０３が計測した累積発電回数が第１の所定回数より所定回数少ない第２の所定回数に達した時のいずれか早い方の時に、報知信号を出力することを予告する予告信号を出力する。
【００２２】
情報端末装置１０８は、燃料電池システム１００と宅内通信回線１０９によって接続され、燃料電池システム１００の制御を行う機能を有している。宅内通信回線１０９は、無線ＬＡＮ、Ｂｌｕｅｔｏｏｔｈ（登録商標）または特定小電力無線など無線を媒体として利用することも可能で、その場合、情報端末装置１０８と燃料電池システム１００のそれぞれは、無線通信ユニットを装着する必要がある。
【００２３】
情報端末装置１０８は、報知信号、予告信号の表示の他に、燃料電池の発電の開始や停止、給湯温度、風呂の沸かし上げや風呂の沸かし仕上げ予約といった設定機能や、異常コードの表示、発電電力量、受電電力量の表示機能を備えている。
【００２４】
以上のように構成された燃料電池システム１００について、以下その動作、作用を説明する。
【００２５】
燃料電池は、水素と酸素を化学反応させ、直接電気エネルギーを発生させると同時に、反応時に発生する熱も回収利用することにより高いエネルギー効果が実現できるシステムであるが、燃料が供給されている期間、常に発電を行っているわけではない。
【００２６】
具体的には、家庭の負荷電力が極めて小さいため、燃料電池システム１００を起動させる起動エネルギーの方が大きく起動自体に価値がない時や、或いは家庭の負荷電力が十分大きくても制御部１０１が家庭の過去の電力負荷、給湯負荷の学習データから算出した運転計画の判断で、省エネ効果が望めないと判断した場合などは燃料電池システム１００の起動はかからず、発電待機の状態になっている。尚、前記運転計画の詳しい説明は本文献では行わない。
【００２７】
累積発電時間、累積発電回数の計測は、発電エネルギーを発生させるために直接寄与する、燃料電池スタック、改質器といったシステムの重要部品の劣化を検出するために重要な要素である。
【００２８】
本発明では、前記累積発電時間と累積発電回数を計測し、そのうちの少なくともいずれか１つが所定の値に達した時に燃料電池システム１００の機器寿命の到来であると判断し、発電エネルギーを発生させるために直接寄与する、燃料電池スタック、改質器といったシステムの重要部品の劣化を検出することから、一般的な家電製品よりも技術蓄積の浅い燃料電池全体の構成部品を視野に入れた安全を確保するための機器停止を実現させることができる。ここで累積発電時間、累積発電回数の検出方法について記載する。
【００２９】
累積発電時間計測手段１０２が計測する累積発電時間は、燃料電池スタックが有する固体高分子膜の劣化を検出する時に用いる。累積発電時間計測手段１０２は燃料電池が待機状態を離れ、起動行程を実行し、発電行程に入れば発電時間を累積して積算することを開始し、燃料電池が発電行程から停止行程に入れば発電時間の積算を終了し、記憶手段１０５に記憶する。
【００３０】
固体高分子膜の劣化が進めば、膜にピンホールが開いたり膜が破れたりすることがあり、仮に穴が開いたとすれば、危険濃度の水素ガスが混入したオフガスが流れる可能性があり、燃料電池が不安全に至る場合がある。
【００３１】
また、累積発電回数計測手段１０３が計測する累積発電回数は、改質器の劣化を検出する時に用いる。累積発電回数計測手段１０３は、燃料電池が発電の開始したときに１回とカウントしても良いし、燃料電池が発電の開始から、停止行程に状態を移したときに回とカウントしても良い。
【００３２】
発電回数を累積して積算し、記憶手段１０５に記憶していた発電回数と新しい発電回数とを入れ替えて記憶する。都市ガスを改質して水素を取り出し、その水素を燃料電池スタックへ供給するわけであるが、個体高分子型燃料電池は改質器に白金を触媒として用い、燃料中に一酸化炭素が存在すると触媒の白金が劣化する。
【００３３】
また、都市ガスを改質して水素を取り出す時、６００度〜７００度まで改質器をバーナーで加熱するため、燃料電池の起動の度に常温から７００度まで温度変化し、改質器の構造にも大きな負担がかかる。例えば、このストレスのため、改質器が割れた場合は、高濃度の一酸化炭素が漏れる可能性があり、燃料電池システム１００が不安全に至る場合がある。改質器の場合は構造の劣化も想定するため、発電回数の累積で劣化の判定を行う。それは燃料電池が起動行程実施時に何かの異常でもって停止した場合、発電に至らずとも改質器には負担が掛かっているためである。
【００３４】
図３は、情報端末装置１０９に前記予告信号の意味するところを使用者へメッセージとして表示させた場合の例を示している。制御部１０１は、報知信号出力手段１０４が出力した前記報知信号または予告信号を通信手段１０７を介して宅内通信回線１０９へ出力する。
【００３５】
燃料電池システム１００は、表示手段として情報端末装置１０８を有し、前記報知信号と予告信号とを表示する。図３（ａ）の場合、情報端末装置１０８は燃料電池システム１００の制御部１０１から予告信号を受信すれば、画面にポップアップ形式でまもなく停止することをメッセージとして表示させる。図３（ｂ）の場合、ＬＥＤを点滅させ、前記ポップアップと同様にまもなく燃料電池システム１００が停止することを報知する。
【００３６】
これらは予告信号の例であるが、予告信号の報知から所定の期間が経過し、いよいよ報知信号に置き換わった場合は、図３（ａ）の例では、使用者が販売店への連絡の必要性を強調する内容に変化させ、また、図３（ｂ）の例では、例えばＬＥＤが点滅から点灯に変化し、予告ではなくなった変化が使用者が明らかに感じられる様な表現を用いれば良い。
【００３７】
これによって、予告信号を表示した場合は、使用者は機器が完全停止状態に陥る前に燃料電池システム１００に対し対策措置を速やかに講じることができ、発電装置としての本来の運転稼働率を確保することができ、また報知信号を表示した場合は、使用者は次回起動しない理由が明確になり、この場合も予告信号同様燃料電池システム１００に対し対策措置を速やかに講じることができる。
【００３８】
ここで説明したポップアップまたはＬＥＤの点灯、点滅については、情報端末装置１０８に限らず、燃料電池システム１００に備える表示手段１０６に同様のポップアップまたはＬＥＤの点灯、点滅を実施しても良い。
【００３９】
図４は、本実施の形態の燃料電池システムの動作を説明するためのフローチャートである。
【００４０】
はじめに、図４のフローチャートにおいて、制御部１０１は燃料電池システム１００の次回の起動をさせないことを意味する報知信号が出力されているか否かを判定する（ＳＴＥＰ１）。報知信号がなければ（ＳＴＥＰ１をｎ側に分岐）、燃料電池が待機中であるか否かを判定する（ＳＴＥＰ４）。
【００４１】
燃料電池が待機中であれば（ＳＴＥＰ４をｙ側に分岐）、報知信号出力手段１０４は累積発電回数と記憶手段１０５に予め設定されている第１の所定回数とを比較する（ＳＴＥＰ５）。累積発電回数が第１の所定回数に達している場合（ＳＴＥＰ５をｙ側に分岐）、報知信号出力手段１０４は、次回の起動をさせないことを意味する報知信号を出力する。制御部１０１は、報知信号を通信手段１０８と宅内通信回線１０９を介して情報端末装置１０８に出力し、情報端末装置１０９は受信した報知信号を用いて画面にポップアップや今度はＬＥＤの点灯等で燃料電池システム１００が次回の起動はないことを意味するメッセージを表示させる（ＳＴＥＰ６）。
【００４２】
累積発電回数が第１の所定回数に達していない場合は（ＳＴＥＰ５をｎ側に分岐）、報知信号出力手段１０４は、累積発電時間と記憶手段１０５に予め設定されている第１の所定時間とを比較する（ＳＴＥＰ７）。累積発電時間が第１の所定時間に達している場合（ＳＴＥＰ７をｙ側に分岐）、報知信号出力手段１０４は、次回の起動をさせないことを意味する報知信号を出力する。制御部１０１は、報知信号を通信手段１０８と宅内通信回線１０９を介して情報端末装置１０８に出力し、情報端末装置１０９は、受信した報知信号を用いて画面にポップアップや今度はＬＥＤの点灯等で燃料電池システム１００が次回の起動はないことを意味するメッセージを表示させる（ＳＴＥＰ８）。
【００４３】
次に、燃料電池が待機中でない場合であれば（ＳＴＥＰ４をｎ側に分岐）、燃料電池が発電中であるか否かを判定する（ＳＴＥＰ９）。発電中の場合（ＳＴＥＰ９をｙ側に分岐）、燃料電池の停止処理を選択したか否かを判定する（ＳＴＥＰ１０）。
【００４４】
この判定は制御部１０１が有する運転計画に従った停止、また燃料電池システム１００が備える貯湯タンクに湯が満蓄になった場合の停止、または使用者が情報端末装置１０８の操作により発電を停止させた場合のいずれであっても良い。
【００４５】
燃料電池が停止を選択していない場合（ＳＴＥＰ１０をｎ側に分岐）、累積発電時間計測手段１０２は発電時間を累積して積算する（ＳＴＥＰ１５）。報知信号出力手段１０４は、累積発電時間と記憶手段１０５に予め設定されている第２の所定時間とを比較する（ＳＴＥＰ１６）。
【００４６】
累積発電時間が第２の所定時間に達している場合（ＳＴＥＰ１６をｙ側に分岐）、報知信号出力手段１０５は、報知信号がまもなく出力されることを予告する予告信号を出力する（ＳＴＥＰ１７）。制御部１０１は、予告信号を通信手段１０７と宅内通信回線１０９を介して情報端末装置１０８に出力し、情報端末装置１０９は受信した予告信号に基づき予告の内容の表示を行う（ＳＴＥＰ１７）。
【００４７】
燃料電池が発電中であり、発電の停止を選択した場合（ＳＴＥＰ１０をｙ側に分岐）、燃料電池は停止行程を実施し（ＳＴＥＰ１１）、この時発電回数を１回積算する（ＳＴＥＰ１２）。
【００４８】
報知信号出力手段１０４は、累積発電回数と記憶手段１０５に予め設定されている第２の所定回数とを比較する（ＳＴＥＰ１３）。累積発電回数が第２の所定回数に達している場合（ＳＴＥＰ１３をｙ側に分岐）、報知信号出力手段１０４は、報知信号がまもなく出力されることを予告する予告信号を出力する（ＳＴＥＰ１４）。そして情報端末装置１０８に、予告の内容の表示を行う（ＳＴＥＰ１４）。
【００４９】
制御部１０１は、予告信号を通信手段１０８と宅内通信回線１０９を介して情報端末装置１０８に出力し、情報端末装置１０９は受信した受信した予告信号に基づき予告の内容の表示を行う（ＳＴＥＰ１４）。
【００５０】
制御部１０１は、燃料電池システム１００の次回の起動をさせないことを意味する報知信号が出力されているか否かを判定し（ＳＴＥＰ１）、報知信号が出力されている場合は（ＳＴＥＰ１をｙ側に分岐）、燃料電池システム１００を停止させ（ＳＴＥＰ１）、報知信号出力手段１０４は次回の起動をしないことを意味する報知信号を出力し（ＳＴＥＰ３）、情報端末装置１０８は受信した報知信号を用いて画面にポップアップや今度はＬＥＤの点灯等で燃料電池システム１００が次回の起動はないことを意味するメッセージを表示させる（ＳＴＥＰ３）。
【００５１】
以上のように、本実施の形態においては、燃料電池が発電中に構成部品の劣化を予知した場合も機器に危険な状態がない場合は、燃料電池の運転計画に従った運転を完結させた後に停止し、停止後次回からの起動をさせないことから、使用者が現在必要な発電電力量、及び貯湯タンクに蓄積する湯の確保と、更にシステムの安全を確保するための機器停止であっても、故障停止の様な印象を与えずに機器停止を実現させることができる。
【００５２】
また、次回の運転開始を許可しない報知信号を出力するため、前記報知信号を停止した機器に対して速やかな対策措置を講じるための起点、例えば使用者はサービス会社と連絡し、停止した機器にメンテナンス依頼をして再度運転を可能な状態にしてもらうための起点、またメーカーは一度機器寿命に到達した機器であるため、機器のリプレース商談へ持ち込むための起点として用いることができ、発電装置としての本来の運転稼働率が向上し、省エネ性を確保することができる。
【００５３】
また、機器が次回の運転開始を許可しない報知信号を出力する前に予告信号を出力するため、前記予告信号を機器が完全停止状態に陥る前に速やかな対策措置を講じるための起点、例えば使用者は機器が完全停止するより予めに、サービス会社と連絡し、完全停止より事前に機器メンテナンスの依頼をし、完全停止の期間を作ることなく継続運転を可能な状態にしてもらうための起点、またメーカーはまもなく機器寿命に到達し、完全停止する機器であることを使用者に報告し、機器のリプレース商談へ持ち込むための起点として用いることができ、発電装置としての本来の運転稼働率が向上し、省エネ性を確保することができる。
【００５４】
また、使用者またはメーカーは機器が完全停止状態に陥るまでの期間、燃料電池の運転を継続させながら対策措置を講じることができることから、発電装置としての本来の運転稼働率を確保しつつ、省エネ性を確保することができる。
【００５５】
また、予告信号を表示した場合は、使用者は機器が完全停止状態に陥る前にサービス会社へ連絡し、完全停止より事前に機器のメンテナンス依頼、メーカーへは機器のリプレース依頼をするといった対策措置を速やかに講じることができ、発電装置としての本来の運転稼働率を確保することができる。また報知信号を表示した場合、使用者は次回起動しない理由が明確になり、サービス会社への機器のメンテナンス依頼、またメーカーへは機器のリプレース依頼をするといった対策措置を速やかに講じることができ、発電装置としての本来の運転稼働率を確保することができる。
【００５６】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムであれば、磁気メディアや光メディアなどの記録媒体に記録したりインターネットなどの通信回線を用いて配信することでプログラムの配布・更新やインストール作業が簡単にできる。
【産業上の利用可能性】
【００５７】
本発明にかかる燃料電池システムは、燃料電池が発電中に構成部品の劣化を予知した場合も機器に危険な状態がない場合は、燃料電池の運転計画に従った運転を完結させた後に停止し、停止後次回からの起動をさせないことから、使用者が現在必要な発電電力量、及び貯湯タンクに蓄積する湯の確保と、更にシステムの安全を確保するための機器停止であっても、故障停止の様な印象を与えずに機器停止を実現させることができる。そのため、家庭用に限らずオフィスや工場などの業務用の燃料電池システムにも適用できる。
【符号の説明】
【００５８】
１００  燃料電池システム
１０１  制御部
１０２  累積発電時間計測手段
１０３  累積発電回数計測手段
１０４  報知信号出力手段
１０６  表示手段
【図１】
2010244749.tif 000003
【図２】
2010244749.tif 000004
【図３】
2010244749.tif 000005
【図４】
2010244749.tif 000006
【図５】
2010244749.tif 000007